(57)【特許請求の範囲】
【請求項１】
（イ）ポリオレフィン系樹脂および、
（ロ）ビニル芳香族化合物から構成される重合体ブロックＡと、イソプレンとブタジエンからなり、両者の重量比がイソプレン／ブタジエン＝４０／６０〜７０／３０の範囲内にある混合物から構成され、イソプレンに基づく全構造単位中の１，４−結合の割合が３５〜８０モル％、ブタジエンに基づく全構造単位中の１，４−結合の割合が５５〜９０モル％である重合体ブロックＢを有し、ビニル芳香族化合物に基づく構造単位の含有量が１０〜３０重量％であるブロック共重合体の、イソプレンおよびブタジエンに基づく炭素−炭素二重結合の８０％以上を水素添加してなる水添ブロック共重合体を、
ポリオレフィン系樹脂／水添ブロック共重合体＝９５／５〜５０／５０（重量比）の割合で含有するポリオレフィン系樹脂組成物。
【発明の詳細な説明】
【０００１】
【発明の属する技術分野】
本発明は、ポリオレフィン系樹脂とビニル芳香族化合物と共役ジエンから構成されるブロック共重合体の水素添加物からなる樹脂組成物に関する。本発明の樹脂組成物は、耐衝撃強度、特に低温時の耐衝撃強度に優れているとともに、引張り伸びにも優れており、自動車の内・外装部品、各種機械部品、家庭用品、包装材料等に使用される成形材料として好適である。
【０００２】
【従来の技術】
ポリオレフィン系樹脂は、一般に耐薬品性、機械的特性に優れており、機械部品、自動車部品、家庭用品、各種容器など幅広い分野に使用されている。しかしながら、従来の材料では引張り伸びが不足しており、使用目的が限定されることがあった。
【０００３】
ポリオレフィン系樹脂の改質を目的として、スチレンと共役ジエンからなるブロック共重合体の水素添加物をポリオレフィン系樹脂に配合する試みが数多くなされている。例えば、特開平４−１７０４５２号公報には、耐衝撃性、表面硬度等に優れた組成物として、ポリプロピレン系樹脂にスチレン含有量の異なる２種類のスチレン−ブタジエン−スチレンブロック共重合体の水素添加物（スチレン−エチレン・ブチレン−スチレンブロック共重合体、以下、ＳＥＢＳと略記する）と無機充填剤を配合してなる組成物が記載されている。また、特開平６−３２９４７号公報には、耐衝撃性と耐熱変形性に優れた組成物としてポリプロピレン系樹脂とビニル結合含有量が相違する２種類のスチレン−共役ジエンブロック共重合体の水素添加物を配合してなる組成物が記載されている。なお、特開平６−３２９４７号公報において、実施例として具体的に開示されているものは、共役ジエンとしてブタジエンを単独で使用してなるスチレン−共役ジエンブロック共重合体の水素添加物を構成成分とするものに限られている。
しかしながら、上記の公報に記載された組成物においても、組成物から得られる成形品の引張り伸びは十分ではない。
【０００４】
【発明が解決しようとする課題】
本発明は、上記の問題点に鑑みてなされたものであって、引張り伸びに優れるとともに、耐衝撃性や剛性等の物性のバランスのよいポリオレフィン系樹脂組成物を提供することを課題とする。
【０００５】
【課題を解決するための手段】
本発明によれば、上記の課題は、（イ）ポリオレフィン系樹脂および、（ロ）ビニル芳香族化合物から構成される重合体ブロックＡと、イソプレンとブタジエンからなり、両者の重量比がイソプレン／ブタジエン＝４０／６０〜７０／３０の範囲内にある混合物から構成され、イソプレンに基づく全構造単位中の１，４−結合の割合が３５〜８０モル％、ブタジエンに基づく全構造単位中の１，４−結合の割合が５５〜９０モル％である重合体ブロックＢを有し、ビニル芳香族化合物に基づく構造単位の含有量が１０〜３０重量％であるブロック共重合体の、イソプレンおよびブタジエンに基づく炭素−炭素二重結合の８０％以上を水素添加してなる水添ブロック共重合体を、ポリオレフィン系樹脂／水添ブロック共重合体＝９５／５〜５０／５０（重量比）の割合で含有するポリオレフィン系樹脂組成物を提供することによって解決される。
【０００６】
【発明の実施の形態】
本発明のポリオレフィン系樹脂組成物を構成する成分（イ）であるポリオレフィン系樹脂としては、エチレン、プロピレン、１−ブテン、イソブチレン、４−メチル−１−ペンテン等のα−オレフィンを主たる構成成分とする樹脂であればよく、例えば、ポリエチレン、ポリプロピレン、ポリブテン、ポリメチルペンテン、エチレン−プロピレンブロック共重合体などが挙げられる。これらの中でも、例えば、ホモポリプロピレン、ランダムポリプロピレン、ブロックポリプロピレン等のポリプロピレン系樹脂が好ましい。
ポリオレフィン系樹脂（イ）は、１種類のものを使用してもよいし、２種以上を併用してもよい。
【０００７】
得られる組成物の成形性および耐衝撃性をより優れたものとするためには、ポリオレフィン系樹脂（イ）は、２３０℃、２．１６ｋｇ荷重下でのメルトフローレート（ＭＦＲ）の値が１〜１００ｇ／１０分の範囲にあることが好ましい。
【０００８】
一方、本発明のポリオレフィン系樹脂組成物を構成する成分（ロ）である水添ブロック共重合体における水素添加前の重合体ブロックＡを構成するビニル芳香族化合物としては、例えば、スチレン、α−メチルスチレン、ｏ−、ｍ−またはｐ−メチルスチレン、１，３−ジメチルスチレン、ビニルナフタレン、ビニルアントラセン等が挙げられる。これらの中でも、スチレンおよびα−メチルスチレンが好ましい。ビニル芳香族化合物は、１種類のものを使用してもよいし、２種類以上を併用してもよい。
【０００９】
水添ブロック共重合体（ロ）は、水素添加前の状態において、ビニル芳香族化合物に基づく構造単位の含有量が１０〜３０重量％であることが必要である。ビニル芳香族化合物に基づく構造単位の含有量が１０重量％未満の場合、樹脂組成物から得られる成形品の剛性等が低くなり実用的ではない。一方、ビニル芳香族化合物の含有量が３０重量％を超えると、得られる樹脂組成物の耐衝撃強度、特に低温における耐衝撃強度が劣り好ましくない。
【００１０】
水添ブロック共重合体（ロ）において、水素添加前の重合体ブロックＢを構成するイソプレンとブタジエンの混合物中、イソプレンとブタジエンの重量比は、イソプレン／ブタジエン＝４０／６０〜７０／３０の範囲内にあることが必要である。重合体ブロックＢを構成するイソプレンとブタジエンの混合物中、イソプレンの重量比が４０重量％未満の場合、すなわちブタジエンの重量比が６０重量％を超える場合には、樹脂組成物から得られる成形品の引張り伸びが劣り、また、上記混合物中のイソプレンの重量比が７０重量％を超える場合、すなわちブタジエンの重量比が３０重量％未満の場合、樹脂組成物から得られる成形品の低温における耐衝撃性が劣る。
【００１１】
また、上記重合体ブロックＢは、イソプレンに基づく全構造単位中の１，４−結合の割合が３５〜８０モル％、ブタジエンに基づく全構造単位中の１，４−結合の割合が５５〜９０モル％である必要がある。イソプレンに基づく全構造単位中の１，４−結合の割合が３５モル％未満の場合、樹脂組成物から得られる成形品の引張り伸びは十分であるものの、低温における耐衝撃性が劣り好ましくない。また、イソプレンに基づく全構造単位中の１，４−結合の割合が８０モル％を超える場合、樹脂組成物から得られる成形品の引張り伸びが十分ではない。さらに、ブタジエンに基づく全構造単位中の１，４−結合の割合が５５モル％未満の場合、樹脂組成物から得られる成形品の引張り伸びは十分であるが、低温における耐衝撃性が劣り好ましくない。また、ブタジエンに基づく全構造単位中の１，４−結合の割合が９０モル％を超える場合、樹脂組成物から得られる成形品の引張り伸びが十分ではない。
【００１２】
水添ブロック共重合体（ロ）は、イソプレンおよびブタジエンに基づく炭素−炭素二重結合の８０％以上が水素添加されていることが必要であり、９０％以上が水素添加されていることが好ましい。イソプレンおよびブタジエンに基づく炭素−炭素二重結合の水素添加率が８０％未満の場合、得られる組成物は耐熱性および耐候性が十分ではない。
【００１３】
水添ブロック共重合体（ロ）の水素添加前の状態での数平均分子量は、特に制限されるものではないが、通常、１０，０００〜１，０００，０００、好ましくは３０，０００〜４００，０００、より好ましく４０，０００〜２００，０００の範囲内である。ここでいう数平均分子量とは、ゲルパーミエーションクロマトグラフィー（ＧＰＣ）測定によって求めたポリスチレン換算の分子量に基づくものである。
【００１４】
さらに、水添ブロック共重合体（ロ）は、本発明の趣旨を損なわない限り、分子鎖中に、または分子末端に、カルボキシル基、水酸基、酸無水物、アミノ基、エポキシ基などの官能基を含有していてもよい。
【００１５】
水添ブロック共重合体（ロ）の製造方法としては、例えば、次のような公知のアニオン重合法を採用することができる。すなわち、有機リチウム化合物等を開始剤としてヘキサン等の不活性有機溶媒中で、ビニル芳香族化合物、イソプレンとブタジエンの混合物を逐次重合させてブロック共重合体を形成する。この際、イソプレンとブタジエンの１，４−結合量が所望の範囲内となるようにルイス塩基を使用することができる。ルイス塩基としては、例えば、ジメチルエーテル、ジエチルエーテル、テトラヒドロフラン等のエーテル類；エチレングリコールジメチルエーテル、ジエチレングリコールジメチルエーテル等のグリコールエーテル類；トリエチルアミン、Ｎ，Ｎ，Ｎ’，Ｎ’−テトラメチルエチレンジアミン、Ｎ−メチルモルホリン等のアミン類などが挙げられるが、これらの中でもテトラヒドロフランが好ましい。ルイス塩基は、重合開始剤のリチウムのモル数に対して概ね０．１〜１００倍モルの範囲内で使用される。次いで、得られたブロック共重合体を、公知の方法に従って不活性有機溶媒中で公知の水素添加触媒の存在下に水素添加して、水添ブロック共重合体（ロ）を製造することが出来る。水添ブロック共重合体（ロ）における重合体ブロックＢ中の不飽和二重結合の水素添加率は、ヨウ素価測定、赤外分光光度計、核磁気共鳴装置等により測定することができる。
【００１６】
水添ブロック共重合体（ロ）のブロック形態としては、重合体ブロックＡをＡで、重合体ブロックＢをＢで表すと、例えば、Ａ−Ｂ型のジブロック共重合体、（Ａ−Ｂ）ｎ−Ａ型のブロック共重合体（ｎは１〜１０の整数を表す）、（Ａ−Ｂ）ｍ−Ｘ型のブロック共重合体（Ｘはｍ価のカップリング剤の残基を表し、ｍは２〜１５の整数を表す）などが挙げられる。この中でも、（Ａ−Ｂ）ｎ−Ａ型のブロック共重合体が好ましく、特にＡ−Ｂ−Ａ型のトリブロック共重合体が好ましい。
【００１７】
本発明の樹脂組成物におけるポリオレフィン系樹脂（イ）と水添ブロック共重合体（ロ）の割合は、ポリオレフィン系樹脂／水添ブロック共重合体＝９５／５〜５０／５０（重量比）であることが必要である。ポリオレフィン系樹脂（イ）の割合が上記の範囲より少ない場合、樹脂組成物から得られた成形品の剛性が低くなり実用的ではない。また、ポリオレフィン系樹脂（イ）の割合が上記の範囲を超える場合は、樹脂組成物から得られる成形品の耐衝撃強度、特に低温における耐衝撃強度が低下し、好ましくない。ポリオレフィン系樹脂（イ）と水添ブロック共重合体（ロ）の割合は、ポリオレフィン系樹脂／水添ブロック共重合体＝８５／１５〜６０／４０（重量比）であることが好ましい。
【００１８】
本発明のポリオレフィン系樹脂組成物は、その特性を損なわない範囲で、無機充填剤を添加することができる。かかる無機充填剤の具体例としては、タルク、炭酸カルシウム、シリカ、ガラス繊維、カーボン繊維、マイカ、カオリン、酸化チタンなどが挙げられるが、これらの中でもタルクが好ましい。
【００１９】
さらに、本発明のポリオレフィン系樹脂組成物には、その改質を目的として他の添加剤、例えば、熱老化防止剤、酸化防止剤、光安定剤、帯電防止剤、離型剤、難燃剤、発泡剤、顔料、染料、増白剤などを添加することができる。
【００２０】
本発明のポリオレフィン系樹脂組成物は、例えば、ポリオレフィン系樹脂（イ）、水添ブロック共重合体（ロ）および必要に応じて使用される他の成分をドライブレンドした後、単軸押出機、二軸押出機、ニーダー、バンバリーミキサー、ロールなどの混練機を用いて溶融混練することにより製造することができる。
【００２１】
本発明のポリオレフィン系樹脂組成物は、従来からの各種成形法、例えば、射出成形、ブロー成形、プレス成形、押出成形、カレンダー成形などにより、シート状、板状等の種々の形状の成形品に成形することが可能であり、特に、ハイサイクルの射出成形に適している。
【００２２】
本発明のポリオレフィン系樹脂組成物は、引張り伸びに優れ、しかも耐衝撃性、中でも低温における耐衝撃性に優れており、日用品、包装材料から自動車内外装品等の自動車部品、例えば大型のバンパー、インスツルメントパネル等まで広範囲に利用できる。
【００２３】
【実施例】
以下、実施例により本発明を具体的に説明するが、本発明はこれらの実施例により何ら限定されるものではない。
【００２４】
なお、以下の実施例および比較例における物性の測定方法は以下のとおりである。
【００２５】
（引張り伸び）
ＪＩＳ  Ｋ７１１３に記載された方法に従って測定した。すなわち、ＪＩＳ１号に規定されたダンベル状の試験片を樹脂組成物から作製し、室温にてインストロン万能試験機を使用して引張速度５ｍｍ／分で引張試験を行い、試験片が破断した時の伸度（％）を測定した。
【００２６】
（低温耐衝撃性）
アイゾッド耐衝撃試験をＪＩＳ  Ｋ７１１０に準じて行い、低温耐衝撃性の指標とした。すなわち、射出成形機を用いて試験片（サイズ：６４ｍｍ×１２．７ｍｍ×３．２ｍｍ）を樹脂組成物から作製し、−２０℃においてノッチ付きアイゾッド衝撃強度を測定した。
【００２７】
（曲げ弾性率）
射出成形機を用いて試験片（サイズ：１１０ｍｍ×１０ｍｍ×４ｍｍ）を樹脂組成物から作製し、ＪＩＳ  Ｋ７２０３に準じて三点曲げ法にて曲げ弾性率を測定し、剛性の指標とした。
【００２８】
参考例１（水添ブロック共重合体の製造）
撹拌装置付き耐圧容器中にシクロヘキサン５０ｋｇ、充分に脱水したスチレン１５００ｇおよびｓｅｃ−ブチルリチウムのシクロヘキサン溶液（濃度：１０重量％）３８２ｇを加え、５０℃で６０分間重合した後テトラヒドロフラン１６４ｇを加え、次いで予め調製したイソプレン６８００ｇとブタジエン１０２００ｇの混合物を加えて６０分間重合を行い、さらにスチレンを１５００ｇ加えて６０分間重合し、最後にメタノールを加えて反応を停止し、スチレン−イソプレン／ブタジエン−スチレン型のブロック共重合体（以下ブロック共重合体１と略記する）をシクロヘキサン溶液として調製した。ＧＰＣ測定によって求めた数平均分子量（以下、Ｍｎと略記する）、1Ｈ−ＮＭＲスペクトル測定によって求めたスチレン含有量、イソプレンおよびブタジエンの混合物からなる重合体ブロックのミクロ構造は表１に示すとおりであった。
【００２９】
上記で得られたブロック共重合体１に対し、シクロヘキサン溶液中、Ｚｉｅｇｌｅｒ系触媒を用い、水素雰囲気下、８０℃で４時間水素添加反応を行い、イソプレンとブタジエンの混合物からなる重合体ブロックにおいて、炭素−炭素二重結合が水素添加されてなる水添ブロック共重合体１を得た。1Ｈ−ＮＭＲスペクトル測定により求めた水素添加率は９５．３％であった。
【００３０】
参考例２（水添ブロック共重合体の製造）
撹拌装置付き耐圧容器中にシクロヘキサン５０ｋｇ、充分に脱水したスチレン１７００ｇおよびｓｅｃ−ブチルリチウムのシクロヘキサン溶液（濃度：１０重量％）１８３ｇを加え、５０℃で６０分間重合した後テトラヒドロフラン６５ｇを加え、次いで予め調製したイソプレン９２９６ｇとブタジエン７３０４ｇの混合物を加えて６０分間重合を行い、さらにスチレンを１７００ｇ加えて６０分間重合し、最後にメタノールを加えて反応を停止し、スチレン−イソプレン／ブタジエン−スチレン型のブロック共重合体（以下ブロック共重合体２と略記する）をシクロヘキサン溶液として調製した。ＧＰＣ測定によって求めた数平均分子量、1Ｈ−ＮＭＲスペクトル測定によって求めたスチレン含有量、イソプレンおよびブタジエンの混合物からなる重合体ブロックのミクロ構造は表１に示すとおりであった。
【００３１】
上記で得られたブロック共重合体２を参考例１と同様にして水素添加することにより、イソプレンとブタジエンの混合物からなる重合体ブロックにおいて、炭素−炭素二重結合が水素添加されてなる水添ブロック共重合体２を得た。1Ｈ−ＮＭＲスペクトル測定により求めた水素添加率は９８．２％であった。
【００３２】
参考例３（水添ブロック共重合体の製造）
撹拌装置付き耐圧容器中にシクロヘキサン５０ｋｇ、充分に脱水したスチレン２５００ｇおよびｓｅｃ−ブチルリチウムのシクロヘキサン溶液（濃度：１０重量％）１３２ｇを加え、５０℃で６０分間重合した後テトラヒドロフラン３４ｇを加え、次いで予め調製したイソプレン１０５００ｇとブタジエン４５００ｇの混合物を加えて６０分間重合を行い、さらにスチレンを２５００ｇ加えて６０分間重合し、最後にメタノールを加えて反応を停止し、スチレン−イソプレン／ブタジエン−スチレン型のブロック共重合体（以下ブロック共重合体３と略記する）をシクロヘキサン溶液として調製した。ＧＰＣ測定によって求めた数平均分子量、1Ｈ−ＮＭＲスペクトル測定によって求めたスチレン含有量、イソプレンおよびブタジエンの混合物からなる重合体ブロックのミクロ構造は表１に示すとおりであった。
【００３３】
上記で得られたブロック共重合体３を参考例１と同様にして水素添加することにより、イソプレンとブタジエンの混合物からなる重合体ブロックにおいて、炭素−炭素二重結合が水素添加されてなる水添ブロック共重合体３を得た。1Ｈ−ＮＭＲスペクトル測定により求めた水素添加率は８９．３％であった。
【００３４】
参考例４（水添ブロック共重合体の製造）
撹拌装置付き耐圧容器中にシクロヘキサン５０ｋｇ、充分に脱水したスチレン１８００ｇおよびｓｅｃ−ブチルリチウムのシクロヘキサン溶液（濃度：１０重量％）１８１ｇを加え、５０℃で６０分間重合した後テトラヒドロフラン１６４ｇを加え、次いで予め調製したイソプレン９８４０ｇとブタジエン６５６０ｇの混合物を加えて６０分間重合を行い、さらにスチレンを１８００ｇ加えて６０分間重合し、最後にメタノールを加えて反応を停止し、スチレン−イソプレン／ブタジエン−スチレン型のブロック共重合体（以下ブロック共重合体４と略記する）をシクロヘキサン溶液として調製した。ＧＰＣ測定によって求めた数平均分子量、1Ｈ−ＮＭＲスペクトル測定によって求めたスチレン含有量、イソプレンおよびブタジエンの混合物からなる重合体ブロックのミクロ構造は表１に示すとおりであった。
【００３５】
上記で得られたブロック共重合体４を参考例１と同様にして水素添加することにより、イソプレンとブタジエンの混合物からなる重合体ブロックにおいて、炭素−炭素二重結合が水素添加されてなる水添ブロック共重合体４を得た。1Ｈ−ＮＭＲスペクトル測定により求めた水素添加率は９８．９％であった。
【００３６】
参考例５（水添ブロック共重合体の製造）
撹拌装置付き耐圧容器中にシクロヘキサン５０ｋｇ、充分に脱水したスチレン３５００ｇおよびｓｅｃ−ブチルリチウムのシクロヘキサン溶液（濃度：１０重量％）１０７ｇを加え、５０℃で６０分間重合した後テトラヒドロフラン５０３ｇを加え、次いで予め調製したイソプレン９７５０ｇとブタジエン３２５０ｇの混合物を加えて６０分間重合を行い、さらにスチレンを３５００ｇ加えて６０分間重合し、最後にメタノールを加えて反応を停止し、スチレン−イソプレン／ブタジエン−スチレン型のブロック共重合体（以下ブロック共重合体５と略記する）をシクロヘキサン溶液として調製した。ＧＰＣ測定によって求めた数平均分子量、1Ｈ−ＮＭＲスペクトル測定によって求めたスチレン含有量、イソプレンおよびブタジエンの混合物からなる重合体ブロックのミクロ構造は表１に示すとおりであった。
【００３７】
上記で得られたブロック共重合体５を参考例１と同様にして水素添加することにより、イソプレンとブタジエンの混合物からなる重合体ブロックにおいて、炭素−炭素二重結合が水素添加されてなる水添ブロック共重合体５を得た。1Ｈ−ＮＭＲスペクトル測定により求めた水素添加率は９３．１％であった。
【００３８】
参考例６（水添ブロック共重合体の製造）
撹拌装置付き耐圧容器中にシクロヘキサン５０ｋｇ、充分に脱水したスチレン５００ｇおよびｓｅｃ−ブチルリチウムのシクロヘキサン溶液（濃度：１０重量％）１８３ｇを加え、４０℃で６０分間重合した後テトラヒドロフラン３４７ｇを加え、次いで予め調製したイソプレン１１４００ｇとブタジエン７６００ｇの混合物を加えて６０分間重合を行い、さらにスチレンを５００ｇ加えて６０分間重合し、最後にメタノールを加えて反応を停止し、スチレン−イソプレン／ブタジエン−スチレン型のブロック共重合体（以下ブロック共重合体６と略記する）をシクロヘキサン溶液として調製した。ＧＰＣ測定によって求めた数平均分子量、1Ｈ−ＮＭＲスペクトル測定によって求めたスチレン含有量、イソプレンおよびブタジエンの混合物からなる重合体ブロックのミクロ構造は表１に示すとおりであった。
【００３９】
上記で得られたブロック共重合体６を参考例１と同様にして水素添加することにより、イソプレンとブタジエンの混合物からなる重合体ブロックにおいて、炭素−炭素二重結合が水素添加されてなる水添ブロック共重合体６を得た。1Ｈ−ＮＭＲスペクトル測定により求めた水素添加率は９４．８％であった。
【００４０】
参考例７（水添ブロック共重合体の製造）
撹拌装置付き耐圧容器中にシクロヘキサン５０ｋｇ、充分に脱水したスチレン２０００ｇおよびｓｅｃ−ブチルリチウムのシクロヘキサン溶液（濃度：１０重量％）１８４ｇを加え、５０℃で６０分間重合した後テトラヒドロフラン３４ｇを加え、次いで予め調製したイソプレン４８００ｇとブタジエン１１２００ｇの混合物を加えて６０分間重合を行い、さらにスチレンを２０００ｇ加えて６０分間重合し、最後にメタノールを加えて反応を停止し、スチレン−イソプレン／ブタジエン−スチレン型のブロック共重合体（以下ブロック共重合体７と略記する）をシクロヘキサン溶液として調製した。ＧＰＣ測定によって求めた数平均分子量、1Ｈ−ＮＭＲスペクトル測定によって求めたスチレン含有量、イソプレンおよびブタジエンの混合物からなる重合体ブロックのミクロ構造は表１に示すとおりであった。
【００４１】
上記で得られたブロック共重合体７を参考例１と同様にして水素添加することにより、イソプレンとブタジエンの混合物からなる重合体ブロックにおいて、炭素−炭素二重結合が水素添加されてなる水添ブロック共重合体７を得た。1Ｈ−ＮＭＲスペクトル測定により求めた水素添加率は９６．７％であった。
【００４２】
【表１】
0003937203.tif 000002
【００４３】
実施例１〜３および比較例１〜５
表２に示した配合に従い、ポリプロピレンおよび水添ブロック共重合体１〜７をドライブレンドした後、二軸押出機を用いて、シリンダー温度２２０℃の条件下に溶融混練し、ペレット状の樹脂組成物を得た。得られたペレットを用いて、射出成形により所定の形状の試験片を作製し、各種物性の測定を行った。結果を表２に示す。
【００４４】
比較例６
ポリプロピレン単独の場合として、ＩＺＯＤ衝撃強度と曲げ弾性率についてカタログ値を示す。
【００４５】
【表２】
0003937203.tif 000003
【００４６】
表２から明らかなとおり、本発明の範囲内である実施例１〜３の樹脂組成物は、低温耐衝撃性、剛性が良好であり、引張り伸びが改良されていることがわかる。一方、本発明の範囲外である比較例１および５の樹脂組成物では、低温耐衝撃性は良好であるが、引張り伸びに劣る。また、本発明の範囲外である比較例２および４の樹脂組成物では、引張り伸びは改良されているが、低温耐衝撃性に劣る。さらに、本発明の範囲外である比較例３の樹脂組成物では、引張り伸びおよび低温耐衝撃性は優れているが、剛性に劣る。
【００４７】
【発明の効果】
本発明によれば、充分な引張り伸びを有すると共に、耐衝撃性、特に低温における耐衝撃性に優れ、物性のバランスが良好なポリオレフィン系樹脂組成物が提供される。